(57)【要約】【課題】  本発明の目的は、装置を大型化、高価格化することなく、簡単な回路構成で、容易に且つ確実に血液浄化装置をプライミングする方法を提供することにある。【解決手段】  血液濾過器１１、ライン２１，３１，４１を有する血液浄化装置２を洗浄液でプライミングする方法であって、洗浄液貯留容器６１と静脈ライン患者側末端部３２とをプライミングライン５１で接続し、洗浄液貯留容器６１を最も高い位置に、プライミングライン接続部５３を前記洗浄液貯留容器６１よりも低い位置に、血液浄化装置２における洗浄液排液口２２，４２を前記洗浄液貯留容器６１よりも低く前記プライミングライン接続部５３よりも高い位置に配置して、洗浄液貯留容器６１からプライミングライン接続部５３への高低差を利用して、洗浄液貯留容器６１からの洗浄液を、プライミングライン５１を介して静脈ライン３１側から血液浄化装置２に流通させてプライミングする。【選択図】    図１
2005193011.tif 000002
【特許請求の範囲】
【請求項１】
患者の血液を採取し浄化処理した後に患者に戻す血液浄化装置を洗浄液でプライミングする方法であって、
洗浄液を貯留した洗浄液貯留容器と前記血液浄化装置とをプライミングラインで接続し、
前記洗浄液貯留容器を最も高い位置に配置し、
前記血液浄化装置と前記プライミングラインとの接続部であるプライミングライン接続部を前記洗浄液貯留容器よりも低い位置に配置し、
前記洗浄液貯留容器からの洗浄液の排出口となる前記血液浄化装置における洗浄液排出口を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記血液浄化装置に流通させることによって前記血液浄化装置を洗浄液でプライミングする血液浄化装置のプライミング方法。
【請求項２】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記静脈ラインの患者側末端部とを接続し、
前記洗浄液貯留容器を最も高い位置に配置し、
前記静脈ライン患者側末端部と前記プライミングラインとの接続部であるプライミングライン接続部を前記洗浄液貯留容器よりも低い位置に配置し、
前記洗浄液貯留容器からの洗浄液の排出口となる前記動脈ラインの患者側末端部、前記濾過ラインの排出口を前記洗浄液貯留容器よりも低く前記プライミングライン接続部よりも高い位置に配置して、  
前記洗浄液貯留容器と前記洗浄液排出口との高低差を利用して、前記洗浄液貯留容器からの洗浄液を、前記プライミングラインを介して前記静脈ライン側から前記血液濾過器、前記動脈ライン、前記濾過ラインに向けて流通させることによって前記血液浄化装置を洗浄液でプライミングする請求項１に記載の血液浄化装置のプライミング方法。
【請求項３】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記動脈ラインの患者側末端部とを接続し、
前記洗浄液貯留容器を最も高い位置に配置し、
前記動脈ライン患者側末端部と前記プライミングラインとの接続部であるプライミングライン接続部を前記洗浄液貯留容器よりも低い位置に配置し、
前記洗浄液貯留容器からの洗浄液の排出口となる前記静脈ラインの患者側末端部、前記濾過ラインの排出口を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記動脈ライン側から前記血液濾過器、前記静脈ライン、前記濾過ラインに向けて流通させることによって前記血液浄化装置を洗浄液でプライミングする請求項１に記載の血液浄化装置のプライミング方法。
【請求項４】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記静脈ラインから分岐した静脈分岐ラインの末端部とを接続し、
前記洗浄液貯留容器を最も高い位置に配置し、
前記静脈分岐ライン末端部と前記プライミングラインとの接続部であるプライミングライン接続部を前記洗浄液貯留容器よりも低い位置に配置し、
前記洗浄液貯留容器からの洗浄液の排出口となる前記静脈ラインの患者側末端部、前記動脈ラインの患者側末端部、前記濾過ラインの排出口を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記静脈分岐ライン側から前記静脈ライン、前記血液濾過器、前記動脈ライン、前記濾過ラインに流通させることによって前記血液浄化装置を洗浄液でプライミングする請求項１に記載の血液浄化装置のプライミング方法。
【請求項５】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記動脈ラインから分岐した動脈分岐ラインの末端部とを接続し、
前記洗浄液貯留容器を最も高い位置に配置し、
前記動脈分岐ライン末端部と前記プライミングラインとの接続部であるプライミングライン接続部を前記洗浄液貯留容器よりも低い位置に配置し、
前記洗浄液貯留容器からの洗浄液の排出口となる前記動脈ラインの患者側末端部、前記静脈ラインの患者側末端部、前記濾過ラインの排出口を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記動脈分岐ライン側から前記動脈ライン、前記血液濾過器、前記静脈ライン、前記濾過ラインに流通させることによって前記血液浄化装置を洗浄液でプライミングする請求項１に記載の血液浄化装置のプライミング方法。
【請求項６】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記静脈ラインの患者側末端部とを接続し、
前記洗浄液貯留容器を最も高い位置に配置し、
前記静脈ライン患者側末端部と前記プライミングラインとの接続部であるプライミングライン接続部を前記洗浄液貯留容器よりも低い位置に配置し、
前記洗浄液貯留容器からの洗浄液の排出口となる前記動脈ラインの患者側末端部を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記静脈ライン側から前記吸着型血液浄化器、前記動脈ラインに向けて流通させることによって前記血液浄化装置を洗浄液でプライミングする請求項１に記載の血液浄化装置のプライミング方法。
【請求項７】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記動脈ラインの患者側末端部とを接続し、
前記洗浄液貯留容器を最も高い位置に配置し、
前記動脈ライン患者側末端部と前記プライミングラインとの接続部であるプライミングライン接続部を前記洗浄液貯留容器よりも低い位置に配置し、
前記洗浄液貯留容器からの洗浄液の排出口となる前記静脈ラインの患者側末端部を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記動脈ライン側から前記吸着型血液浄化器、前記静脈ラインに向けて流通させることによって前記血液浄化装置を洗浄液でプライミングする請求項１に記載の血液浄化装置のプライミング方法。
【請求項８】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記静脈ラインから分岐した静脈分岐ラインの末端部とを接続し、
前記洗浄液貯留容器を最も高い位置に配置し、
前記静脈分岐ライン末端部と前記プライミングラインとの接続部であるプライミングライン接続部を前記洗浄液貯留容器よりも低い位置に配置し、
前記洗浄液貯留容器からの洗浄液の排出口となる前記静脈ラインの患者側末端部、前記動脈ラインの患者側末端部を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記静脈分岐ライン側から前記静脈ライン、前記吸着型血液浄化器、前記動脈ラインに流通させることによって前記血液浄化装置を洗浄液でプライミングする請求項１に記載の血液浄化装置のプライミング方法。
【請求項９】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記動脈ラインから分岐した動脈分岐ラインの末端部とを接続し、
前記洗浄液貯留容器を最も高い位置に配置し、
前記動脈分岐ライン末端部と前記プライミングラインとの接続部であるプライミングライン接続部を前記洗浄液貯留容器よりも低い位置に配置し、
前記洗浄液貯留容器からの洗浄液の排出口となる前記動脈ラインの患者側末端部、前記静脈ラインの患者側末端部を前記洗浄液貯留容器よりも低く前記プライミングライン接続部よりも高い位置に配置して、
前記洗浄液貯留容器と前記洗浄液排出口との高低差を利用して、前記洗浄液貯留容器からの洗浄液を、前記プライミングラインを介して前記動脈分岐ライン側から前記動脈ライン、前記吸着型血液浄化器、前記静脈ラインに流通させることによって前記血液浄化装置を洗浄液でプライミングする請求項１に記載の血液浄化装置のプライミング方法。
【請求項１０】
患者の血液を採取し浄化処理した後に患者に戻す血液浄化装置を洗浄液でプライミングする方法であって、
洗浄液を貯留した洗浄液貯留容器と前記血液浄化装置とをプライミングラインで接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記血液浄化装置における洗浄液排出口を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記血液浄化装置に流通させることによって前記血液浄化装置を洗浄液でプライミングする血液浄化装置のプライミング方法。
【請求項１１】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記静脈ラインの患者側末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記動脈ラインの患者側末端部、前記濾過ラインの排出口を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記静脈ライン側から前記血液濾過器、前記動脈ライン、前記濾過ラインに向けて流通させることによって前記血液浄化装置を洗浄液でプライミングする請求項１０に記載の血液浄化装置のプライミング方法。
【請求項１２】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記動脈ラインの患者側末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記静脈ラインの患者側末端部、前記濾過ラインの排出口を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記動脈ライン側から前記血液濾過器、前記静脈ライン、前記濾過ラインに向けて流通させることによって前記血液浄化装置を洗浄液でプライミングする請求項１０に記載の血液浄化装置のプライミング方法。
【請求項１３】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記静脈ラインから分岐した静脈分岐ラインの末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記静脈ラインの患者側末端部、前記動脈ラインの患者側末端部、前記濾過ラインの排出口を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記静脈分岐ライン側から前記静脈ライン、前記血液濾過器、前記動脈ライン、前記濾過ラインに流通させることによって前記血液浄化装置を洗浄液でプライミングする請求項１０に記載の血液浄化装置のプライミング方法。
【請求項１４】
前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、
前記プライミングラインは、前記洗浄液貯留容器と前記動脈ラインから分岐した動脈分岐ラインの末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記動脈ラインの患者側末端部、前記静脈ラインの患者側末端部、前記濾過ラインの排出口を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記動脈分岐ライン側から前記動脈ライン、前記血液濾過器、前記静脈ライン、前記濾過ラインに流通させることによって前記血液浄化装置を洗浄液でプライミングする請求項１０に記載の血液浄化装置のプライミング方法。
【請求項１５】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記静脈ラインの患者側末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記動脈ラインの患者側末端部を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記静脈ライン側から前記吸着型血液浄化器、前記動脈ラインに向けて流通させることによって前記血液浄化装置を洗浄液でプライミングする請求項１０に記載の血液浄化装置のプライミング方法。
【請求項１６】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記動脈ラインの患者側末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記静脈ラインの患者側末端部を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記動脈ライン側から前記吸着型血液浄化器、前記静脈ラインに向けて流通させることによって前記血液浄化装置を洗浄液でプライミングする請求項１０に記載の血液浄化装置のプライミング方法。
【請求項１７】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記静脈ラインから分岐した静脈分岐ラインの末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記静脈ラインの患者側末端部、前記動脈ラインの患者側末端部を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記静脈分岐ライン側から前記静脈ライン、前記吸着型血液浄化器、前記動脈ラインに流通させることによって前記吸着型血液浄化装置を洗浄液でプライミングする請求項１０に記載の血液浄化装置のプライミング方法。
【請求項１８】
前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、
前記プライミングラインは、前記洗浄液貯留容器と前記動脈ラインから分岐した動脈分岐ラインの末端部とを接続し、
前記洗浄液貯留容器を最も高い位置に配置し、
前記プライミングラインの流路中のプライミングライン折り返し部を前記洗浄液貯留容器よりも低い位置に配置し、
前記洗浄液貯留容器からの洗浄液の排出口となる前記動脈ラインの患者側末端部、前記静脈ラインの患者側末端部を前記洗浄液貯留容器よりも低く前記プライミングライン折り返し部よりも高い位置に配置して、
前記洗浄液貯留容器と前記洗浄液排出口との高低差を利用して、前記洗浄液貯留容器からの洗浄液を、前記プライミングラインを介して前記動脈分岐ライン側から前記動脈ライン、前記吸着型血液浄化器、前記静脈ラインに流通させることによって前記吸着型血液浄化装置を洗浄液でプライミングする請求項１０に記載の血液浄化装置のプライミング方法。
【発明の詳細な説明】
【技術分野】
【０００１】
本発明は、血液浄化器などからなる血液浄化装置を使用して体外循環方式の血液浄化療法（具体的には、血液を血液濾過器に導入して血液中の不要物質を取り除く血液濾過療法、血液透析療法あるいは血液濾過透析療法、血液を吸着型血液浄化器に導入して血球成分を吸着除去する血球成分除去療法）を実施する際の前記血液浄化装置のプライミング方法に関するものである。
【背景技術】
【０００２】
従来、血液浄化器などからなる血液浄化装置を使用して例えば血液濾過療法を実施する際には、生理食塩液などの洗浄液を前記血液浄化装置における血液濾過器の血液流入側あるいは血液流出側から注入して、血液濾過用中空糸の内側の洗浄および血液流通路の洗浄を行うプライミング工程が必要である。この従来のプライミング工程では、洗浄液が充填してある洗浄液貯留容器を最も高い位置に配置して、前記洗浄液貯留容器に、例えば前記血液浄化装置における動脈ラインを接続して、血液濾過器を通して、最終的に洗浄液を排出する排出口を最も低い位置に配置にすることで、高さの違いによって生じる落差圧を利用して洗浄液を血液濾過器に流し洗浄を行う方法が実施される。
【０００３】
一方、省力化を目的にプライミング工程を自動化した血液浄化装置（例えば特許文献１参照）も知られている。この血液浄化装置のプライミング工程では、プライミング工程のための回路と血液浄化器を接続し、前記回路と洗浄液貯留容器を接続した後、洗浄を開始するスタート信号を血液浄化装置に与える。すると、前記回路の途中に設けた送液ポンプ、チューブを機械的に圧閉／開放する開閉器、大気を回路に導入するバルブ等の機構がシーケンシャルに動作して、洗浄液貯留容器から洗浄液が注入されて血液浄化器の洗浄が自動的に行われる。
【０００４】
【特許文献１】特開平８−３８５９７号公報
【発明の開示】
【発明が解決しようとする課題】
【０００５】
しかしながら、前記洗浄液貯留容器と前記排出口との高さの違いによる落差圧を利用した方法では、血液浄化器を洗浄する際、先に述べた操作での手順においては、洗浄液貯留容器に貯留してある洗浄液がなくなった場合には、操作者の目視によって判断し、洗浄液貯留容器からの送液を止める必要があるため、操作者は洗浄中には洗浄液貯留容器の残量を監視する必要があった。なぜならば、洗浄液貯留容器内の洗浄液の残量の終了を見逃した場合には、洗浄液貯留容器内に予め入っていた気体が治療に必要な回路（血液を流通させる種々のライン）や血液浄化器まで到達してしまうからである。このように洗浄液貯留容器内の気体が血液浄化装置内に入ってしまった場合には、該血液浄化装置内の気体を取り除かなければならない。このようにして血液浄化装置内に入ってしまった気体を取り除くには、該気体が進入した方向とは逆から洗浄液を注入し、前記血液浄化装置内の気体を前記洗浄液で押出す作業をしなければならなかった。
【０００６】
また上記プライミング工程を自動的に行う装置では、プライミング工程を自動的に行うための前記開閉器、バルブ等の機構が別途必要であり、同様にプライミング工程のための前述の回路が必要であり、装置の大型化、高価格化および回路の煩雑さを招いていた。
【０００７】
本発明の目的は、装置を大型化、高価格化することなく、簡単な回路構成で、容易に且つ確実に血液浄化装置をプライミングする方法を提供することにある。
【課題を解決するための手段】
【０００８】
上記目的を達成するための本発明の代表的な第１の方法は、患者の血液を採取し浄化処理した後に患者に戻す血液浄化装置を洗浄液でプライミングする方法であって、洗浄液を貯留した洗浄液貯留容器と前記血液浄化装置とをプライミングラインで接続し、前記洗浄液貯留容器を最も高い位置に配置し、前記血液浄化装置と前記プライミングラインとの接続部であるプライミングライン接続部を前記洗浄液貯留容器よりも低い位置に配置し、前記洗浄液貯留容器からの洗浄液の排出口となる前記血液浄化装置における洗浄液排出口を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記血液浄化装置に流通させることによって前記血液浄化装置を洗浄液でプライミングする方法である。
【０００９】
具体的には、例えば、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記静脈ラインの患者側末端部とを接続し、前記洗浄液貯留容器を最も高い位置に配置し、前記静脈ライン患者側末端部と前記プライミングラインとの接続部であるプライミングライン接続部を前記洗浄液貯留容器よりも低い位置に配置し、前記洗浄液貯留容器からの洗浄液の排出口となる前記動脈ラインの患者側末端部、前記濾過ラインの排出口を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記静脈ライン側から前記血液濾過器、前記動脈ライン、前記濾過ラインに向けて流通させることによって前記血液浄化装置を洗浄液でプライミングする方法である。
【００１０】
あるいは、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記動脈ラインの患者側末端部とを接続し、前記洗浄液貯留容器を最も高い位置に配置し、前記動脈ライン患者側末端部と前記プライミングラインとの接続部であるプライミングライン接続部を前記洗浄液貯留容器よりも低い位置に配置し、前記洗浄液貯留容器からの洗浄液の排出口となる前記静脈ラインの患者側末端部、前記濾過ラインの排出口を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記動脈ライン側から前記血液濾過器、前記静脈ライン、前記濾過ラインに向けて流通させることによって前記血液浄化装置を洗浄液でプライミングする方法である。
【００１１】
あるいは、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記静脈ラインから分岐した静脈分岐ラインの末端部とを接続し、前記洗浄液貯留容器を最も高い位置に配置し、前記静脈分岐ライン末端部と前記プライミングラインとの接続部であるプライミングライン接続部を前記洗浄液貯留容器よりも低い位置に配置し、前記洗浄液貯留容器からの洗浄液の排出口となる前記静脈ラインの患者側末端部、前記動脈ラインの患者側末端部、前記濾過ラインの排出口を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記静脈分岐ライン側から前記静脈ライン、前記血液濾過器、前記動脈ライン、前記濾過ラインに流通させることによって前記血液浄化装置を洗浄液でプライミングする方法である。
【００１２】
あるいは、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記動脈ラインから分岐した動脈分岐ラインの末端部とを接続し、前記洗浄液貯留容器を最も高い位置に配置し、前記動脈分岐ライン末端部と前記プライミングラインとの接続部であるプライミングライン接続部を前記洗浄液貯留容器よりも低い位置に配置し、前記洗浄液貯留容器からの洗浄液の排出口となる前記動脈ラインの患者側末端部、前記静脈ラインの患者側末端部、前記濾過ラインの排出口を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記動脈分岐ライン側から前記動脈ライン、前記血液濾過器、前記静脈ライン、前記濾過ラインに流通させることによって前記血液浄化装置を洗浄液でプライミングする方法である。
【００１３】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記静脈ラインの患者側末端部とを接続し、前記洗浄液貯留容器を最も高い位置に配置し、前記静脈ライン患者側末端部と前記プライミングラインとの接続部であるプライミングライン接続部を前記洗浄液貯留容器よりも低い位置に配置し、前記洗浄液貯留容器からの洗浄液の排出口となる前記動脈ラインの患者側末端部を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記静脈ライン側から前記吸着型血液浄化器、前記動脈ラインに向けて流通させることによって前記血液浄化装置を洗浄液でプライミングする方法である。
【００１４】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記動脈ラインの患者側末端部とを接続し、前記洗浄液貯留容器を最も高い位置に配置し、前記動脈ライン患者側末端部と前記プライミングラインとの接続部であるプライミングライン接続部を前記洗浄液貯留容器よりも低い位置に配置し、前記洗浄液貯留容器からの洗浄液の排出口となる前記静脈ラインの患者側末端部を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記動脈ライン側から前記吸着型血液浄化器、前記静脈ラインに向けて流通させることによって前記血液浄化装置を洗浄液でプライミングする方法である。
【００１５】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記静脈ラインから分岐した静脈分岐ラインの末端部とを接続し、前記洗浄液貯留容器を最も高い位置に配置し、前記静脈分岐ライン末端部と前記プライミングラインとの接続部であるプライミングライン接続部を前記洗浄液貯留容器よりも低い位置に配置し、前記洗浄液貯留容器からの洗浄液の排出口となる前記静脈ラインの患者側末端部、前記動脈ラインの患者側末端部を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記静脈分岐ライン側から前記静脈ライン、前記吸着型血液浄化器、前記動脈ラインに流通させることによって前記血液浄化装置を洗浄液でプライミングする方法である。
【００１６】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記動脈ラインから分岐した動脈分岐ラインの末端部とを接続し、前記洗浄液貯留容器を最も高い位置に配置し、前記動脈分岐ライン末端部と前記プライミングラインとの接続部であるプライミングライン接続部を前記洗浄液貯留容器よりも低い位置に配置し、前記洗浄液貯留容器からの洗浄液の排出口となる前記動脈ラインの患者側末端部、前記静脈ラインの患者側末端部を前記洗浄液貯留容器よりも低く前記プライミングライン接続部よりも高い位置に配置して、前記洗浄液貯留容器と前記洗浄液排出口との高低差を利用して、前記洗浄液貯留容器からの洗浄液を、前記プライミングラインを介して前記動脈分岐ライン側から前記動脈ライン、前記吸着型血液浄化器、前記静脈ラインに流通させることによって前記血液浄化装置を洗浄液でプライミングする方法である。
【００１７】
また上記目的を達成するための本発明の代表的な第２の方法は、患者の血液を採取し浄化処理した後に患者に戻す血液浄化装置を洗浄液でプライミングする方法であって、洗浄液を貯留した洗浄液貯留容器と前記血液浄化装置とをプライミングラインで接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記血液浄化装置における洗浄液排出口を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記血液浄化装置に流通させることによって前記血液浄化装置を洗浄液でプライミングする方法である。
【００１８】
具体的には、例えば、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記静脈ラインの患者側末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記動脈ラインの患者側末端部、前記濾過ラインの排出口を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記静脈ライン側から前記血液濾過器、前記動脈ライン、前記濾過ラインに向けて流通させることによって前記血液浄化装置を洗浄液でプライミングする方法である。
【００１９】
あるいは、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記動脈ラインの患者側末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記静脈ラインの患者側末端部、前記濾過ラインの排出口を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記動脈ライン側から前記血液濾過器、前記静脈ライン、前記濾過ラインに向けて流通させることによって前記血液浄化装置を洗浄液でプライミングする方法である。
【００２０】
あるいは、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記静脈ラインから分岐した静脈分岐ラインの末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記静脈ラインの患者側末端部、前記動脈ラインの患者側末端部、前記濾過ラインの排出口を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記静脈分岐ライン側から前記静脈ライン、前記血液濾過器、前記動脈ライン、前記濾過ラインに流通させることによって前記血液浄化装置を洗浄液でプライミングする方法である。
【００２１】
あるいは、前記血液浄化装置は、患者の血液を濾過処理する血液濾過器と、患者の血液を前記血液濾過器に導入する動脈ラインと、前記血液濾過器で処理した血液を患者に戻す静脈ラインと、前記血液濾過器によって濾過した濾過液を排出する濾過ラインとを有し、前記プライミングラインは、前記洗浄液貯留容器と前記動脈ラインから分岐した動脈分岐ラインの末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記動脈ラインの患者側末端部、前記静脈ラインの患者側末端部、前記濾過ラインの排出口を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記動脈分岐ライン側から前記動脈ライン、前記血液濾過器、前記静脈ライン、前記濾過ラインに流通させることによって前記血液浄化装置を洗浄液でプライミングする方法である。
【００２２】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記静脈ラインの患者側末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記動脈ラインの患者側末端部を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記静脈ライン側から前記吸着型血液浄化器、前記動脈ラインに向けて流通させることによって前記血液浄化装置を洗浄液でプライミングする方法である。
【００２３】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記動脈ラインの患者側末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記静脈ラインの患者側末端部を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記動脈ライン側から前記吸着型血液浄化器、前記静脈ラインに向けて流通させることによって前記血液浄化装置を洗浄液でプライミングする方法である。
【００２４】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記静脈ラインから分岐した静脈分岐ラインの末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記静脈ラインの患者側末端部、前記動脈ラインの患者側末端部を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記静脈分岐ライン側から前記静脈ライン、前記吸着型血液浄化器、前記動脈ラインに流通させることによって前記吸着型血液浄化装置を洗浄液でプライミングする方法である。
【００２５】
あるいは、前記血液浄化装置は、患者の血球成分を吸着処理する吸着型血液浄化器と、患者の血液を前記吸着型血液浄化器に導入する動脈ラインと、前記吸着型血液浄化器で処理した血液を患者に戻す静脈ラインとを有し、前記プライミングラインは、前記洗浄液貯留容器と前記動脈ラインから分岐した動脈分岐ラインの末端部とを接続し、前記洗浄液貯留容器を最も高い位置に配置し、前記プライミングラインの流路中のプライミングライン折り返し部を前記洗浄液貯留容器よりも低い位置に配置し、前記洗浄液貯留容器からの洗浄液の排出口となる前記動脈ラインの患者側末端部、前記静脈ラインの患者側末端部を前記洗浄液貯留容器よりも低く前記プライミングライン折り返し部よりも高い位置に配置して、前記洗浄液貯留容器と前記洗浄液排出口との高低差を利用して、前記洗浄液貯留容器からの洗浄液を、前記プライミングラインを介して前記動脈分岐ライン側から前記動脈ライン、前記吸着型血液浄化器、前記静脈ラインに流通させることによって前記吸着型血液浄化装置を洗浄液でプライミングする方法である。
【発明の効果】
【００２６】
上記本発明の第１の方法によれば、洗浄液貯留容器と血液浄化装置とをプライミングラインで接続し、前記洗浄液貯留容器の配置、前記洗浄液貯留容器の配置に対するプライミングライン接続部の配置、前記洗浄液貯留容器と前記プライミングライン接続部の配置に対する前記血液浄化装置における洗浄液排出口（各ラインの患者側末端部や排出口）の配置を制限するだけで、装置を大型化、高価格化することなく、簡単な回路構成で、血液浄化装置のプライミングが容易に且つ確実に実現できる。
【００２７】
また上記本発明の第２の方法によれば、洗浄液貯留容器と血液浄化装置とをプライミングラインで接続し、前記洗浄液貯留容器の配置、前記洗浄液貯留容器の配置に対するプライミングライン折り返し部の配置、前記洗浄液貯留容器と前記プライミングライン折り返し部の配置に対する前記血液浄化装置における洗浄液排出口（各ラインの患者側末端部や排出口）の配置を制限するだけで、装置を大型化、高価格化することなく、簡単な回路構成で、血液浄化装置のプライミングが容易に且つ確実に実現できる。
【発明を実施するための最良の形態】
【００２８】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、本発明の範囲をそれらのみに限定する趣旨のものではない。
【００２９】
まず、血液浄化装置を使用して体外循環方式の血液浄化療法（具体的には、血液を血液濾過器に導入して血液中の不要物質を取り除く血液濾過療法、血液透析療法あるいは血液濾過透析療法、血液を吸着型血液浄化器に導入して血球成分を吸着除去する血球成分除去療法）を実施している様子について説明する。
【００３０】
図１７は、血液浄化装置を使用して治療をしている状態を示す概略構成図である。図１７に示すように、血液浄化装置２は、患者の血液を濾過処理する血液濾過器１１と、前記血液濾過器１１に血液を導入する動脈ライン２１と、前記血液濾過器１１で処理した血液を患者に戻す静脈ライン３１と、前記血液濾過器１１によって濾過した濾過液を排出する濾過ライン４１と、を有している。なお、以下の説明で、前記ライン２１，３１，４１らを血液回路とも言う。
【００３１】
患者の動脈（あるいは静脈）には血液を採取するための針が挿入される。この採血用の針は前記動脈ライン２１の患者側末端部２２が接続される。患者の静脈（あるいは動脈）には血液を返血するための針が挿入される。この返血用の針は前記静脈ライン３１の患者側末端部３２が接続される。そして前記動脈ライン２１中に配置された回転式のチュービングポンプである血液ポンプ１によって患者の体内から血液が取り出される。取り出された血液は動脈ライン２１を通り、濾過膜１２を収容した血液濾過器１１に導入されてから、静脈ライン３１を通って再び患者の体内に戻される。
【００３２】
また、前記装置において濾過ライン４１の途中に、滴数を数えることができる点滴筒４３を設けている。これにより、点滴筒４３内を滴下する血液濾過液の単位時間当たりの滴数を目視によって数えることができ、濾過量を確認することができる。
【００３３】
なお、前述した２本の針の代わりに採血と返血を一本の針で行える構造を持ったダブルルーメンカテーテルを使用しても接続は同じである。
【００３４】
上述したように、血液浄化装置２は、動脈ライン２１、血液濾過器１１、静脈ライン３１によって、血液循環路が形成されている。血液濾過器１１の濾過膜１２によって濾過された血液濾過液は、濾過ライン４１を通って、濾過ライン排出口４２より外部に排液される。濾過ライン排出口４２は厚さ約０．５ｍｍ程度の塩化ビニル等の樹脂製シートを２枚重ねて、長方形状に溶着した貯留容器６２に接続され、前記濾過ライン排出口４２から廃液された血液濾過液は貯留容器６２に貯留される。
【００３５】
図１８は、血液浄化装置を使用して治療をしている状態を示す概略構成図である。図１８に示すように、血液浄化装置２は、患者の血液の血球成分を吸着処理する吸着型血液浄化器１３と、前記血液浄化器１３に血液を導入する動脈ライン２１と、前記血液浄化器１３で処理した血液を患者に戻す静脈ライン３１とを有している。図１８の治療方法は、図１７の治療方法の濾過ライン４１がないだけで、その他の構成は同じである。
【００３６】
上述の如く構成された血液浄化装置２を洗浄液でプライミングする方法は、図１〜図８を用いて後述する第１実施形態（具体的には実施例１−１から実施例１−８）と、図９〜図１６を用いて後述する第２実施形態（具体的には実施例２−１から実施例２−８）がある。以下、順に説明する。
【００３７】
〔第１実施形態〕
以下、図１〜図８を用いて、本発明の第１実施形態に係る血液浄化装置を洗浄液でプライミングする方法を説明する。
【００３８】
上述の如く構成された血液浄化装置２を洗浄液でプライミングする方法は、図１〜図８を用いて後述するように、まず洗浄液を貯留した洗浄液貯留容器６１と前記血液浄化装置２とをプライミングライン５１で接続する。そして、前述の如く接続されたプライミング回路３において、前記洗浄液貯留容器６１を最も高い位置に配置し、前記血液浄化装置２と前記プライミングライン５１との接続部であるプライミングライン接続部５３を前記洗浄液貯留容器６１よりも低い位置に配置する。更に前記洗浄液貯留容器６１からの洗浄液の排出口となる前記血液浄化装置２における洗浄液排出口（後述する各ラインの末端部や排出口）を前記洗浄液貯留容器６１よりも低く前記プライミングライン接続部５３よりも高い位置に配置する。そして、前記洗浄液貯留容器６１と前記洗浄液排出口との高低差を利用して、前記洗浄液貯留容器６１からの洗浄液を、前記プライミングライン５１を介して前記血液浄化装置２に流通させることによって前記血液浄化装置２を洗浄液でプライミングする。
【００３９】
＜実施例１−１＞
図１を用いて、実施例１−１に係る血液浄化装置のプライミング方法について説明する。図１は、実施例１−１に係る血液浄化装置を洗浄する時の概略構成図である。
【００４０】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン患者側末端部３２に接続する。
【００４１】
そして、前述の如く接続されたプライミング回路３において、前記洗浄液貯留容器６１を最も高い位置に配置し、前記静脈ライン患者側末端部３２と前記プライミングライン５１との接続部であるプライミングライン接続部５３を前記洗浄液貯留容器６１よりも低い位置に配置する。
【００４２】
更に、前記洗浄液貯留容器６１からの洗浄液の排出口となる前記動脈ライン２１の患者側末端部２２、前記濾過ライン４１の排出口４２を、前記洗浄液貯留容器６１よりも低く、前記プライミングライン接続部５３よりも高い位置に配置する。なお、血液浄化装置２における洗浄液排出口２２，４２に対する前記プライミングライン接続部５３の配置は、図１（ａ）に示すプライミング回路３における最も低い位置に限定されるものではなく、例えば図１（ｂ）に示すように前記プライミングライン接続部５３が静脈ライン３１の折り返し部３５よりも洗浄液流通方向上流側（あるいは下流側）に配置された構成であっても、該プライミングライン接続部５３が前記洗浄液排出口２２，４２よりも低い位置であれば良い。
【００４３】
そして、前述の如く配置したプライミング回路３において、前記洗浄液貯留容器６１と前記動脈ライン患者側末端部２２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記静脈ライン３１から前記血液濾過器１１へ流通させる。更に前記血液濾過器１１から前記動脈ライン２１へ流通させると共に、前記血液濾過器１１の濾過膜１２を介して前記濾過ライン４１に流通させる。このようにして前記血液浄化装置２を洗浄液で洗浄し、前記洗浄液の排出口となる前記動脈ライン患者側末端部２２と前記濾過ライン排出口４２から前記洗浄液を排液する。
【００４４】
なお、前述の如く洗浄された液は各ライン２１，４１の排液口２２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【００４５】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（動脈ライン患者側末端部２２と濾過ライン排出口４２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈ライン３１、動脈ライン２１、濾過ライン４１）と血液濾過器１１に入り込むことが防止され、前記血液浄化装置２が洗浄液でプライミングされる。
【００４６】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【００４７】
このように、本実施例に係る血液浄化装置のプライミング方法によれば、装置を大型化、高価格化することなく、簡単な構成で、血液浄化装置のプライミングが容易に且つ確実に実現できる。
【００４８】
＜実施例１−２＞
図２を用いて、実施例１−２に係る血液浄化装置のプライミング方法について説明する。図２は、実施例１−２に係る血液浄化装置を洗浄する時の概略構成図である。
【００４９】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン患者側末端部２２に接続する。
【００５０】
そして、前述の如く接続されたプライミング回路３において、前記洗浄液貯留容器６１を最も高い位置に配置し、前記動脈ライン患者側末端部２２と前記プライミングライン５１との接続部であるプライミングライン接続部５３を前記洗浄液貯留容器６１よりも低い位置に配置する。
【００５１】
更に、前記洗浄液貯留容器６１からの洗浄液の排出口となる前記静脈ライン３１の患者側末端部３２、前記濾過ライン４１の排出口４２を、前記洗浄液貯留容器６１よりも低く、前記プライミングライン接続部５３よりも高い位置に配置する。なお、血液浄化装置２における洗浄液排出口３２，４２に対する前記プライミングライン接続部５３の配置は、図２（ａ）に示すプライミング回路３における最も低い位置に限定されるものではなく、例えば図２（ｂ）に示すように前記プライミングライン接続部５３が動脈ライン２１の折り返し部２５よりも洗浄液流通方向上流側（あるいは下流側）に配置された構成であっても、該プライミングライン接続部５３が前記洗浄液排出口３２，４２よりも低い位置であれば良い。
【００５２】
そして、前述の如く配置したプライミング回路３において、前記洗浄液貯留容器６１と前記静脈ライン患者側末端部３２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記動脈ライン２１から前記血液濾過器１１へ流通させる。更に前記血液濾過器１１から前記静脈ライン３１へ流通させると共に、前記血液濾過器１１の濾過膜１２を介して前記濾過ライン４１に流通させる。このようにして前記血液浄化装置２を洗浄液で洗浄し、前記洗浄液の排出口となる前記静脈ライン患者側末端部３２と前記濾過ライン排出口４２から前記洗浄液を排液する。
【００５３】
なお、前述の如く洗浄された液は各ライン３１，４１の排液口３２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【００５４】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（静脈ライン患者側末端部３２と濾過ライン排出口４２）を前記洗浄液貯留容器６１よりも低く前記プライミングライン接続部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈ライン２１、静脈ライン３１、濾過ライン４１）と血液濾過器１１に入り込むことが防止され、前記血液浄化装置２が洗浄液でプライミングされる。
【００５５】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【００５６】
このように、本実施例に係る血液浄化装置のプライミング方法によれば、装置を大型化、高価格化することなく、簡単な構成で、血液浄化装置のプライミングが容易に且つ確実に実現できる。
【００５７】
＜実施例１−３＞
図３を用いて、実施例１−３に係る血液浄化装置のプライミング方法について説明する。図３は、実施例１−３に係る血液浄化装置を洗浄する時の概略構成図である。
【００５８】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン３１の途中から分岐された静脈分岐ライン３３の先端である静脈分岐ライン末端部３４に接続する。
【００５９】
そして、前述の如く接続されたプライミング回路３において、前記洗浄液貯留容器６１を最も高い位置に配置し、前記静脈分岐ライン末端部３４と前記プライミングライン５１との接続部であるプライミングライン接続部５３を前記洗浄液貯留容器６１よりも低い位置に配置する。
【００６０】
更に、前記洗浄液貯留容器６１からの洗浄液の排出口となる前記静脈ライン３１の患者側末端部３２、前記動脈ライン２１の患者側末端部２２、前記濾過ライン４１の排出口４２を、前記洗浄液貯留容器６１よりも低く、前記プライミングライン接続部５３よりも高い位置に配置する。なお、血液浄化装置２における洗浄液排出口３２，２２，４２に対する前記プライミングライン接続部５３の配置は、図３（ａ）に示すプライミング回路３における最も低い位置に限定されるものではなく、例えば図３（ｂ）に示すように前記プライミングライン接続部５３が静脈分岐ライン３３の折り返し部３６よりも洗浄液流通方向上流側（あるいは下流側）に配置された構成であっても、該プライミングライン接続部５３が前記洗浄液排出口２２，４２よりも低い位置であれば良い。
【００６１】
そして、前述の如く配置したプライミング回路３において、前記洗浄液貯留容器６１と前記静脈ライン患者側末端部３２、前記動脈ライン患者側末端部２２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記静脈分岐ライン３３から前記静脈ライン３１、前記血液濾過器１１へ流通させる。更に前記血液濾過器１１から前記動脈ライン２１へ流通させると共に、前記血液濾過器１１の濾過膜１２を介して前記濾過ライン４１に流通させる。このようにして前記血液浄化装置２を洗浄液で洗浄し、前記洗浄液の排出口となる前記静脈ライン患者側末端部３２と前記動脈ライン患者側末端部２２と前記濾過ライン排出口４２から前記洗浄液を排液する。
【００６２】
なお、前述の如く洗浄された液は各ライン３１，２１，４１の排液口３２，２２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【００６３】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（静脈ライン患者側末端部３２と動脈ライン患者側末端部２２と濾過ライン排出口４２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈分岐ライン３３、静脈ライン３１、動脈ライン２１、濾過ライン４１）と血液濾過器１１に入り込むことが防止され、前記血液浄化装置２が洗浄液でプライミングされる。
【００６４】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【００６５】
このように、本実施例に係る血液浄化装置のプライミング方法によれば、装置を大型化、高価格化することなく、簡単な構成で、血液浄化装置のプライミングが容易に且つ確実に実現できる。
【００６６】
＜実施例１−４＞
図４を用いて、実施例１−４に係る血液浄化装置のプライミング方法について説明する。図４は、実施例１−４に係る血液浄化装置を洗浄する時の概略構成図である。
【００６７】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン２１の途中から分岐された動脈分岐ライン２３の先端である動脈分岐ライン末端部２４に接続する。
【００６８】
そして、前述の如く接続されたプライミング回路３において、前記洗浄液貯留容器６１を最も高い位置に配置し、前記動脈分岐ライン末端部２４と前記プライミングライン５１との接続部であるプライミングライン接続部５３を前記洗浄液貯留容器６１よりも低い位置に配置する。
【００６９】
更に、前記洗浄液貯留容器６１からの洗浄液の排出口となる前記動脈ライン２１の患者側末端部２２、前記静脈ライン３１の患者側末端部３２、前記濾過ライン４１の排出口４２を、前記洗浄液貯留容器６１よりも低く、前記プライミングライン接続部５３よりも高い位置に配置する。なお、血液浄化装置２における洗浄液排出口２２，３２，４２に対する前記プライミングライン接続部５３の配置は、図４（ａ）に示すプライミング回路３における最も低い位置に限定されるものではなく、例えば図４（ｂ）に示すように前記プライミングライン接続部５３が動脈分岐ライン２３の折り返し部２６よりも洗浄液流通方向上流側（あるいは下流側）に配置された構成であっても、該プライミングライン接続部５３が前記洗浄液排出口２２，４２よりも低い位置であれば良い。
【００７０】
そして、前述の如く配置したプライミング回路３において、前記洗浄液貯留容器６１と前記動脈ライン患者側末端部２２、前記静脈ライン患者側末端部３２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記動脈分岐ライン２３から前記動脈ライン２１、前記血液濾過器１１へ流通させる。更に前記血液濾過器１１から前記静脈ライン３１へ流通させると共に、前記血液濾過器１１の濾過膜１２を介して前記濾過ライン４１に流通させる。このようにして前記血液浄化装置２を洗浄液で洗浄し、前記洗浄液の排出口となる前記動脈ライン患者側末端部２２と前記静脈ライン患者側末端部３２と前記濾過ライン排出口４２から前記洗浄液を排液する。
【００７１】
なお、前述の如く洗浄された液は各ライン２１，３１，４１の排液口２２，３２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【００７２】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（動脈ライン患者側末端部２２と静脈ライン患者側末端部３２と濾過ライン排出口４２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈分岐ライン２３、動脈ライン２１、静脈ライン３１、濾過ライン４１）と血液濾過器１１に入り込むことが防止され、前記血液浄化装置２が洗浄液でプライミングされる。
【００７３】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【００７４】
このように、本実施形態に係る血液浄化装置のプライミング方法によれば、装置を大型化、高価格化することなく、簡単な構成で、血液浄化装置のプライミングが容易に且つ確実に実現できる。
【００７５】
＜実施例１−５＞
図５を用いて、実施例１−５に係る血液浄化装置のプライミング方法について説明する。図５は、実施例１−５に係る血液浄化装置を洗浄する時の概略構成図である。
【００７６】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン患者側末端部３２に接続する。
【００７７】
そして、前述の如く接続されたプライミング回路３において、前記洗浄液貯留容器６１を最も高い位置に配置し、前記静脈ライン患者側末端部３２と前記プライミングライン５１との接続部であるプライミングライン接続部５３を前記洗浄液貯留容器６１よりも低い位置に配置する。
【００７８】
更に、前記洗浄液貯留容器６１からの洗浄液の排出口となる前記動脈ライン２１の患者側末端部２２を、前記洗浄液貯留容器６１よりも低く、前記プライミングライン接続部５３よりも高い位置に配置する。なお、血液浄化装置２における洗浄液排出口２２に対する前記プライミングライン接続部５３の配置は、図５（ａ）に示すプライミング回路３における最も低い位置に限定されるものではなく、例えば図５（ｂ）に示すように前記プライミングライン接続部５３が静脈ライン３１の折り返し部３５よりも洗浄液流通方向上流側（あるいは下流側）に配置された構成であっても、該プライミングライン接続部５３が前記洗浄液排出口２２よりも低い位置であれば良い。
【００７９】
そして、前述の如く配置したプライミング回路３において、前記洗浄液貯留容器６１と前記動脈ライン患者側末端部２２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記静脈ライン３１から前記吸着型血液浄化器１３へ流通させる。更に前記吸着型血液浄化器１３から前記動脈ライン２１へ流通させる。このようにして前記血液浄化装置２を洗浄液で洗浄し、前記洗浄液の排出口となる前記動脈ライン患者側末端部２２から前記洗浄液を排液する。
【００８０】
なお、前述の如く洗浄された液は動脈ライン２１の排液口２２から排液されるが、厚さ０．５ｍｍ程度の塩化ビニル等の樹脂製シートを２枚重ねて、長方形状に溶着した貯留容器（図示せず）に各排液口を接続した形態でも同様である。
【００８１】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（動脈ライン患者側末端部２２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈ライン３１、動脈ライン２１）と吸着型血液浄化器１３に入り込むことが防止され、前記血液浄化装置２が洗浄液でプライミングされる。
【００８２】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【００８３】
このように、本実施例に係る血液浄化装置のプライミング方法によれば、装置を大型化、高価格化することなく、簡単な構成で、血液浄化装置のプライミングが容易に且つ確実に実現できる。
【００８４】
＜実施例１−６＞
図６を用いて、実施例１−６に係る血液浄化装置のプライミング方法について説明する。図６は、実施例１−６に係る血液浄化装置を洗浄する時の概略構成図である。
【００８５】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン患者側末端部２２に接続する。
【００８６】
そして、前述の如く接続されたプライミング回路３において、前記洗浄液貯留容器６１を最も高い位置に配置し、前記動脈ライン患者側末端部２２と前記プライミングライン５１との接続部であるプライミングライン接続部５３を前記洗浄液貯留容器６１よりも低い位置に配置する。
【００８７】
更に、前記洗浄液貯留容器６１からの洗浄液の排出口となる前記静脈ライン３１の患者側末端部３２を、前記洗浄液貯留容器６１よりも低く、前記プライミングライン接続部５３よりも高い位置に配置する。なお、血液浄化装置２における洗浄液排出口３２に対する前記プライミングライン接続部５３の配置は、図６（ａ）に示すプライミング回路３における最も低い位置に限定されるものではなく、例えば図６（ｂ）に示すように前記プライミングライン接続部５３が動脈ライン２１の折り返し部２５よりも洗浄液流通方向上流側（あるいは下流側）に配置された構成であっても、該プライミングライン接続部５３が前記洗浄液排出口３２よりも低い位置であれば良い。
【００８８】
そして、前述の如く配置したプライミング回路３において、前記洗浄液貯留容器６１と前記静脈ライン患者側末端部３２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記動脈ライン２１から前記吸着型血液浄化器１３へ流通させる。更に前記吸着型血液浄化器１３から前記静脈ライン３１へ流通させる。このようにして前記血液浄化装置２を洗浄液で洗浄し、前記洗浄液の排出口となる前記静脈ライン患者側末端部３２から前記洗浄液を排液する。
【００８９】
なお、前述の如く洗浄された液は静脈ライン３１の排液口３２から排液されるが、厚さ０．５ｍｍ程度の塩化ビニル等の樹脂製シートを２枚重ねて、長方形状に溶着した貯留容器（図示せず）に各排液口を接続した形態でも同様である。
【００９０】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（静脈ライン患者側末端部３２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈ライン２１、静脈ライン３１）と吸着型血液浄化器１３に入り込むことが防止され、前記血液浄化装置２が洗浄液でプライミングされる。
【００９１】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【００９２】
このように、本実施例に係る血液浄化装置のプライミング方法によれば、装置を大型化、高価格化することなく、簡単な構成で、血液浄化装置のプライミングが容易に且つ確実に実現できる。
【００９３】
＜実施例１−７＞
図７を用いて、実施例１−７に係る血液浄化装置のプライミング方法について説明する。図７は、実施例１−７に係る血液浄化装置を洗浄する時の概略構成図である。
【００９４】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン３１の途中から分岐された静脈分岐ライン３３の先端である静脈分岐ライン末端部３４に接続する。
【００９５】
そして、前述の如く接続されたプライミング回路３において、前記洗浄液貯留容器６１を最も高い位置に配置し、前記静脈分岐ライン末端部３４と前記プライミングライン５１との接続部であるプライミングライン接続部５３を前記洗浄液貯留容器６１よりも低い位置に配置する。
【００９６】
更に、前記洗浄液貯留容器６１からの洗浄液の排出口となる前記静脈ライン３１の患者側末端部３２、前記動脈ライン２１の患者側末端部２２を、前記洗浄液貯留容器６１よりも低く、前記プライミングライン接続部５３よりも高い位置に配置する。なお、血液浄化装置２における洗浄液排出口３２，２２に対する前記プライミングライン接続部５３の配置は、図７（ａ）に示すプライミング回路３における最も低い位置に限定されるものではなく、例えば図７（ｂ）に示すように前記プライミングライン接続部５３が静脈分岐ライン３３の折り返し部３６よりも洗浄液流通方向上流側（あるいは下流側）に配置された構成であっても、該プライミングライン接続部５３が前記洗浄液排出口２２，３２よりも低い位置であれば良い。
【００９７】
そして、前述の如く配置したプライミング回路３において、前記洗浄液貯留容器６１と前記静脈ライン患者側末端部３２、前記動脈ライン患者側末端部２２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記静脈分岐ライン３３から前記静脈ライン３１、前記吸着型血液浄化器１３へ流通させる。更に前記吸着型血液浄化器１３から前記動脈ライン２１へ流通させる。このようにして前記血液浄化装置２を洗浄液で洗浄し、前記洗浄液の排出口となる前記静脈ライン患者側末端部３２と前記動脈ライン患者側末端部２２から前記洗浄液を排液する。
【００９８】
なお、前述の如く洗浄された液は各ライン３１，２１の排液口３２，２２から排液されるが、厚さ０．５ｍｍ程度の塩化ビニル等の樹脂製シートを２枚重ねて、長方形状に溶着した貯留容器（図示せず）に各排液口を接続した形態でも同様である。
【００９９】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（静脈ライン患者側末端部３２と動脈ライン患者側末端部２２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈分岐ライン３３、静脈ライン３１、動脈ライン２１）と吸着型血液浄化器１３に入り込むことが防止され、前記血液浄化装置２が洗浄液でプライミングされる。
【０１００】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１０１】
このように、本実施例に係る血液浄化装置のプライミング方法によれば、装置を大型化、高価格化することなく、簡単な構成で、血液浄化装置のプライミングが容易に且つ確実に実現できる。
【０１０２】
＜実施例１−８＞
図８を用いて、実施例１−８に係る血液浄化装置のプライミング方法について説明する。図８は、実施例１−８に係る血液浄化装置を洗浄する時の概略構成図である。
【０１０３】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン２１の途中から分岐された動脈分岐ライン２３の先端である動脈分岐ライン末端部２４に接続する。
【０１０４】
そして、前述の如く接続されたプライミング回路３において、前記洗浄液貯留容器６１を最も高い位置に配置し、前記動脈分岐ライン末端部２４と前記プライミングライン５１との接続部であるプライミングライン接続部５３を前記洗浄液貯留容器６１よりも低い位置に配置する。
【０１０５】
更に、前記洗浄液貯留容器６１からの洗浄液の排出口となる前記動脈ライン２１の患者側末端部２２、前記静脈ライン３１の患者側末端部３２を、前記洗浄液貯留容器６１よりも低く、前記プライミングライン接続部５３よりも高い位置に配置する。なお、血液浄化装置２における洗浄液排出口２２，３２に対する前記プライミングライン接続部５３の配置は、図８（ａ）に示すプライミング回路３における最も低い位置に限定されるものではなく、例えば図８（ｂ）に示すように前記プライミングライン接続部５３が動脈分岐ライン２３の折り返し部２６よりも洗浄液流通方向上流側（あるいは下流側）に配置された構成であっても、該プライミングライン接続部５３が前記洗浄液排出口２２，３２よりも低い位置であれば良い。
【０１０６】
そして、前述の如く配置したプライミング回路３において、前記洗浄液貯留容器６１と前記動脈ライン患者側末端部２２、前記静脈ライン患者側末端部３２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記動脈分岐ライン２３から前記動脈ライン２１へ流通させる。更に前記吸着型血液浄化器１３から前記静脈ライン３１へ流通させる。このようにして前記血液浄化装置２を洗浄液で洗浄し、前記洗浄液の排出口となる前記動脈ライン患者側末端部２２と前記静脈ライン患者側末端部３２から前記洗浄液を排液する。
【０１０７】
なお、前述の如く洗浄された液は各ライン２１，３１の排液口２２，３２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１０８】
上述したように、洗浄液貯留容器６１と血液浄化装置２とをプライミングライン５１で接続し、該プライミング回路３において、洗浄液貯留容器６１を最も高い位置に配置、プライミングライン接続部５３を前記洗浄液貯留容器６１よりも低い位置に配置、血液浄化装置２における洗浄液排液口（動脈ライン患者側末端部２２と静脈ライン患者側末端部３２）を前記洗浄液貯留容器６１よりも低く前記プライミングライン接続部５３よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈分岐ライン２３、動脈ライン２１、静脈ライン３１）と吸着型血液浄化器１３に入り込むことが防止され、前記血液浄化装置２が洗浄液でプライミングされる。
【０１０９】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１１０】
このように、本実施形態に係る血液浄化装置のプライミング方法によれば、装置を大型化、高価格化することなく、簡単な構成で、血液浄化装置のプライミングが容易に且つ確実に実現できる。
【０１１１】
〔第２実施形態〕
以下、図９〜図１６を用いて、本発明の第２実施形態に係る血液浄化装置を洗浄液でプライミングする方法を説明する。
【０１１２】
上述の如く構成された血液浄化装置２を洗浄液でプライミングする方法は、図９〜図１６を用いて後述するように、まず洗浄液を貯留した洗浄液貯留容器６１と前記血液浄化装置２とをプライミングライン５１で接続する。そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。更に前記洗浄液貯留容器６１からの洗浄液の排出口となる前記血液浄化装置２における洗浄液排出口（後述する各ラインの末端部や排出口）を前記洗浄液貯留容器６１よりも低く前記プライミングライン折り返し部５４よりも高い位置に配置する。そして、前記洗浄液貯留容器６１と前記洗浄液排出口との高低差を利用して、前記洗浄液貯留容器６１からの洗浄液を、前記プライミングライン５１を介して前記血液浄化装置２に流通させることによって前記血液浄化装置２を洗浄液でプライミングする。
【０１１３】
＜実施例２−１＞
図９を用いて、実施例２−１に係る血液浄化装置のプライミング方法について説明する。図９は、実施例２−１に係る血液浄化装置を洗浄する時の概略構成図である。
【０１１４】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン患者側末端部３２に接続する。
【０１１５】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図９に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１１６】
更に、前記洗浄液貯留容器６１からの洗浄液の排出口となる前記動脈ライン２１の患者側末端部２２、前記濾過ライン４１の排出口４２を、前記洗浄液貯留容器６１よりも低く、前記プライミングライン折り返し部５４よりも高い位置に配置する。なお、前記プライミングライン接続部５３の配置は、図９（ａ）に示すように血液浄化装置２における洗浄液排出口２２，４２よりも低い位置であっても良いし、あるいは図９（ｂ）に示すように血液浄化装置２における洗浄液排出口２２，４２よりも高い位置であっても良く、図９に示すように前記プライミングライン折り返し部５４が前記洗浄液排出口２２，４２よりも低い位置であれば前記プライミングライン接続部５３の位置は問わない。
【０１１７】
そして、前述の如く配置したプライミング回路３において、前記洗浄液貯留容器６１と前記動脈ライン患者側末端部２２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記静脈ライン３１から前記血液濾過器１１へ流通させる。更に前記血液濾過器１１から前記動脈ライン２１へ流通させると共に、前記血液濾過器１１の濾過膜１２を介して前記濾過ライン４１に流通させる。このようにして前記血液浄化装置２を洗浄液で洗浄し、前記洗浄液の排出口となる前記動脈ライン患者側末端部２２と前記濾過ライン排出口４２から前記洗浄液を排液する。
【０１１８】
なお、前述の如く洗浄された液は各ライン２１，４１の排液口２２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１１９】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（動脈ライン患者側末端部２２と濾過ライン排出口４２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈ライン３１、動脈ライン２１、濾過ライン４１）と血液濾過器１１に入り込むことが防止され、前記血液浄化装置２が洗浄液でプライミングされる。
【０１２０】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１２１】
このように、本実施例に係る血液浄化装置のプライミング方法によれば、装置を大型化、高価格化することなく、簡単な構成で、血液浄化装置のプライミングが容易に且つ確実に実現できる。
【０１２２】
＜実施例２−２＞
図１０を用いて、実施例２−２に係る血液浄化装置のプライミング方法について説明する。図１０は、本発明の実施例２−２に係る血液浄化装置を洗浄する時の概略構成図である。
【０１２３】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン患者側末端部２２に接続する。
【０１２４】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図１０に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１２５】
更に、前記洗浄液貯留容器６１からの洗浄液の排出口となる前記静脈ライン３１の患者側末端部３２、前記濾過ライン４１の排出口４２を、前記洗浄液貯留容器６１よりも低く、前記プライミングライン折り返し部５４よりも高い位置に配置する。なお、前記プライミングライン接続部５３の配置は、図１０（ａ）に示すように血液浄化装置２における洗浄液排出口３２，４２よりも低い位置であっても良いし、あるいは図１０（ｂ）に示すように血液浄化装置２における洗浄液排出口３２，４２よりも高い位置であっても良く、図１０に示すように前記プライミングライン折り返し部５４が前記洗浄液排出口３２，４２よりも低い位置であれば前記プライミングライン接続部５３の位置は問わない。
【０１２６】
そして、前述の如く配置したプライミング回路３において、前記洗浄液貯留容器６１と前記静脈ライン患者側末端部３２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記動脈ライン２１から前記血液濾過器１１へ流通させる。更に前記血液濾過器１１から前記静脈ライン３１へ流通させると共に、前記血液濾過器１１の濾過膜１２を介して前記濾過ライン４１に流通させる。このようにして前記血液浄化装置２を洗浄液で洗浄し、前記洗浄液の排出口となる前記静脈ライン患者側末端部３２と前記濾過ライン排出口４２から前記洗浄液を排液する。
【０１２７】
なお、前述の如く洗浄された液は各ライン３１，４１の排液口３２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１２８】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（静脈ライン患者側末端部３２と濾過ライン排出口４２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈ライン２１、静脈ライン３１、濾過ライン４１）と血液濾過器１１に入り込むことが防止され、前記血液浄化装置２が洗浄液でプライミングされる。
【０１２９】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１３０】
このように、本実施形態に係る血液浄化装置のプライミング方法によれば、装置を大型化、高価格化することなく、簡単な構成で、血液浄化装置のプライミングが容易に且つ確実に実現できる。
【０１３１】
＜実施例２−３＞
図１１を用いて、実施例２−３に係る血液浄化装置のプライミング方法について説明する。図１１は、実施例２−３に係る血液浄化装置を洗浄する時の概略構成図である。
【０１３２】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン３１の途中から分岐された静脈分岐ライン３３の先端である静脈分岐ライン末端部３４に接続する。
【０１３３】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図７に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１３４】
更に、前記洗浄液貯留容器６１からの洗浄液の排出口となる前記静脈ライン３１の患者側末端部３２、前記動脈ライン２１の患者側末端部２２、前記濾過ライン４１の排出口４２を、前記洗浄液貯留容器６１よりも低く、前記プライミングライン折り返し部５４よりも高い位置に配置する。なお、前記プライミングライン接続部５３の配置は、図１１（ａ）に示すように血液浄化装置２における洗浄液排出口３２，２２，４２よりも低い位置であっても良いし、あるいは図１１（ｂ）に示すように血液浄化装置２における洗浄液排出口３２，２２，４２よりも高い位置であっても良く、図１１に示すように前記プライミングライン折り返し部５４が前記洗浄液排出口３２，２２，４２よりも低い位置であれば前記プライミングライン接続部５３の位置は問わない。
【０１３５】
そして、前述の如く配置したプライミング回路３において、前記洗浄液貯留容器６１と前記静脈ライン患者側末端部３２、前記動脈ライン患者側末端部２２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記静脈分岐ライン３３から前記静脈ライン３１、前記血液濾過器１１へ流通させる。更に前記血液濾過器１１から前記動脈ライン２１へ流通させると共に、前記血液濾過器１１の濾過膜１２を介して前記濾過ライン４１に流通させる。このようにして前記血液浄化装置２を洗浄液で洗浄し、前記洗浄液の排出口となる前記静脈ライン患者側末端部３２と前記動脈ライン患者側末端部２２と前記濾過ライン排出口４２から前記洗浄液を排液する。
【０１３６】
なお、前述の如く洗浄された液は各ライン３１，２１，４１の排液口３２，２２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１３７】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（静脈ライン患者側末端部３２と動脈ライン患者側末端部２２と濾過ライン排出口４２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈分岐ライン３３、静脈ライン３１、動脈ライン２１、濾過ライン４１）と血液濾過器１１に入り込むことが防止され、前記血液浄化装置２が洗浄液でプライミングされる。
【０１３８】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１３９】
このように、本実施形態に係る血液浄化装置のプライミング方法によれば、装置を大型化、高価格化することなく、簡単な構成で、血液浄化装置のプライミングが容易に且つ確実に実現できる。
【０１４０】
＜実施例２−４＞
図１２を用いて、実施例２−４に係る血液浄化装置のプライミング方法について説明する。図１２は、実施例２−４に係る血液浄化装置を洗浄する時の概略構成図である。
【０１４１】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン２１の途中から分岐された動脈分岐ライン２３の先端である動脈分岐ライン末端部２４に接続する。
【０１４２】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図１２に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１４３】
更に、前記洗浄液貯留容器６１からの洗浄液の排出口となる前記動脈ライン２１の患者側末端部２２、前記静脈ライン３１の患者側末端部３２、前記濾過ライン４１の排出口４２を、前記洗浄液貯留容器６１よりも低く、前記プライミングライン折り返し部５４よりも高い位置に配置する。なお、前記プライミングライン接続部５３の配置は、図１２（ａ）に示すように血液浄化装置２における洗浄液排出口２２，３２，４２よりも低い位置であっても良いし、あるいは図１２（ｂ）に示すように血液浄化装置２における洗浄液排出口２２，３２，４２よりも高い位置であっても良く、図１２に示すように前記プライミングライン折り返し部５４が前記洗浄液排出口２２，３２，４２よりも低い位置であれば前記プライミングライン接続部５３の位置は問わない。
【０１４４】
そして、前述の如く配置したプライミング回路３において、前記洗浄液貯留容器６１と前記動脈ライン患者側末端部２２、前記静脈ライン患者側末端部３２、前記濾過ライン排出口４２との高低差（高さの違いによって生じる落差圧）を利用して、洗浄液貯留容器６１から洗浄液を送液しながら血液濾過器１１を洗浄する。すなわち前記洗浄液貯留容器６１からの洗浄液を、前記プライミングライン５１を通して、前記動脈分岐ライン２３から前記動脈ライン２１、前記血液濾過器１１へ流通させる。更に前記血液濾過器１１から前記静脈ライン３１へ流通させると共に、前記血液濾過器１１の濾過膜１２を介して前記濾過ライン４１に流通させる。このようにして前記血液浄化装置２を洗浄液で洗浄し、前記洗浄液の排出口となる前記動脈ライン患者側末端部２２と前記静脈ライン患者側末端部３２と前記濾過ライン排出口４２から前記洗浄液を排液する。
【０１４５】
なお、前述の如く洗浄された液は各ライン２１，３１，４１の排液口２２，３２，４２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１４６】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（動脈ライン患者側末端部２２と静脈ライン患者側末端部３２と濾過ライン排出口４２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈分岐ライン２３、動脈ライン２１、静脈ライン３１、濾過ライン４１）と血液濾過器１１に入り込むことが防止され、前記血液浄化装置２が洗浄液でプライミングされる。
【０１４７】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１４８】
このように、本実施形態に係る血液浄化装置のプライミング方法によれば、装置を大型化、高価格化することなく、簡単な構成で、血液浄化装置のプライミングが容易に且つ確実に実現できる。
【０１４９】
＜実施例２−５＞
図１３を用いて、実施例２−５に係る血液浄化装置のプライミング方法について説明する。図１３は、実施例２−５に係る血液浄化装置を洗浄する時の概略構成図である。
【０１５０】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン患者側末端部３２に接続する。
【０１５１】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図１３に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１５２】
更に、前記洗浄液貯留容器６１からの洗浄液の排出口となる前記動脈ライン２１の患者側末端部２２を、前記洗浄液貯留容器６１よりも低く、前記プライミングライン折り返し部５４よりも高い位置に配置する。なお、前記プライミングライン接続部５３の配置は、図１３（ａ）に示すように血液浄化装置２における洗浄液排出口２２よりも低い位置であっても良いし、あるいは図１３（ｂ）に示すように血液浄化装置２における洗浄液排出口２２よりも高い位置であっても良く、図１３に示すように前記プライミングライン折り返し部５４が前記洗浄液排出口２２よりも低い位置であれば前記プライミングライン接続部５３の位置は問わない。
【０１５３】
そして、前述の如く配置したプライミング回路３において、前記洗浄液貯留容器６１と前記動脈ライン患者側末端部２２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記静脈ライン３１から前記吸着型血液浄化器１３へ流通させる。更に前記吸着型血液浄化器１３から前記動脈ライン２１へ流通させる。このようにして前記血液浄化装置２を洗浄液で洗浄し、前記洗浄液の排出口となる前記動脈ライン患者側末端部２２から前記洗浄液を排液する。
【０１５４】
なお、前述の如く洗浄された液は各ライン２１の排液口２２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１５５】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（動脈ライン患者側末端部２２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈ライン３１、動脈ライン２１）と吸着型血液浄化器１３に入り込むことが防止され、前記血液浄化装置２が洗浄液でプライミングされる。
【０１５６】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１５７】
このように、本実施例に係る血液浄化装置のプライミング方法によれば、装置を大型化、高価格化することなく、簡単な構成で、血液浄化装置のプライミングが容易に且つ確実に実現できる。
【０１５８】
＜実施例２−６＞
図１４を用いて、実施例２−６に係る血液浄化装置のプライミング方法について説明する。図１４は、本発明の実施例２−６に係る血液浄化装置を洗浄する時の概略構成図である。
【０１５９】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン患者側末端部２２に接続する。
【０１６０】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図１４に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１６１】
更に、前記洗浄液貯留容器６１からの洗浄液の排出口となる前記静脈ライン３１の患者側末端部３２を、前記洗浄液貯留容器６１よりも低く、前記プライミングライン折り返し部５４よりも高い位置に配置する。なお、前記プライミングライン接続部５３の配置は、図１４（ａ）に示すように血液浄化装置２における洗浄液排出口３２よりも低い位置であっても良いし、あるいは図１４（ｂ）に示すように血液浄化装置２における洗浄液排出口３２よりも高い位置であっても良く、図１４に示すように前記プライミングライン折り返し部５４が前記洗浄液排出口３２よりも低い位置であれば前記プライミングライン接続部５３の位置は問わない。
【０１６２】
そして、前述の如く配置したプライミング回路３において、前記洗浄液貯留容器６１と前記静脈ライン患者側末端部３２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記動脈ライン２１から前記吸着型血液浄化器１３へ流通させる。更に前記吸着型血液浄化器１３から前記静脈ライン３１へ流通させる。このようにして前記血液浄化装置２を洗浄液で洗浄し、前記洗浄液の排出口となる前記静脈ライン患者側末端部３２から前記洗浄液を排液する。
【０１６３】
なお、前述の如く洗浄された液は静脈ライン３１の排液口３２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１６４】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（静脈ライン患者側末端部３２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈ライン２１、静脈ライン３１）と吸着型血液浄化器１３に入り込むことが防止され、前記血液浄化装置２が洗浄液でプライミングされる。
【０１６５】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１６６】
このように、本実施形態に係る血液浄化装置のプライミング方法によれば、装置を大型化、高価格化することなく、簡単な構成で、血液浄化装置のプライミングが容易に且つ確実に実現できる。
【０１６７】
＜実施例２−７＞
図１５を用いて、実施例２−７に係る血液浄化装置のプライミング方法について説明する。図１５は、実施例２−７に係る血液浄化装置を洗浄する時の概略構成図である。
【０１６８】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を静脈ライン３１の途中から分岐された静脈分岐ライン３３の先端である静脈分岐ライン末端部３４に接続する。
【０１６９】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図１５に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１７０】
更に、前記洗浄液貯留容器６１からの洗浄液の排出口となる前記静脈ライン３１の患者側末端部３２、前記動脈ライン２１の患者側末端部２２を、前記洗浄液貯留容器６１よりも低く、前記プライミングライン折り返し部５４よりも高い位置に配置する。なお、前記プライミングライン接続部５３の配置は、図１５（ａ）に示すように血液浄化装置２における洗浄液排出口３２，２２よりも低い位置であっても良いし、あるいは図１５（ｂ）に示すように血液浄化装置２における洗浄液排出口３２，２２よりも高い位置であっても良く、図１５に示すように前記プライミングライン折り返し部５４が前記洗浄液排出口３２，２２よりも低い位置であれば前記プライミングライン接続部５３の位置は問わない。
【０１７１】
そして、前述の如く配置したプライミング回路３において、前記洗浄液貯留容器６１と前記静脈ライン患者側末端部３２、前記動脈ライン患者側末端部２２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記静脈分岐ライン３３から前記静脈ライン３１、前記吸着型血液浄化器１３へ流通させる。更に前記吸着型血液浄化器１３から前記動脈ライン２１へ流通させる。このようにして前記血液浄化装置２を洗浄液で洗浄し、前記洗浄液の排出口となる前記静脈ライン患者側末端部３２と前記動脈ライン患者側末端部２２から前記洗浄液を排液する。
【０１７２】
なお、前述の如く洗浄された液は各ライン３１，２１の排液口３２，２２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１７３】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（静脈ライン患者側末端部３２と動脈ライン患者側末端部２２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（静脈分岐ライン３３、静脈ライン３１、動脈ライン２１）と吸着型血液浄化器１３に入り込むことが防止され、前記血液浄化装置２が洗浄液でプライミングされる。
【０１７４】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１７５】
このように、本実施形態に係る血液浄化装置のプライミング方法によれば、装置を大型化、高価格化することなく、簡単な構成で、血液浄化装置のプライミングが容易に且つ確実に実現できる。
【０１７６】
＜実施例２−８＞
図１６を用いて、実施例２−８に係る血液浄化装置のプライミング方法について説明する。図１６は、実施例２−８に係る血液浄化装置を洗浄する時の概略構成図である。
【０１７７】
本実施例に係る血液浄化装置のプライミング方法では、まず生理食塩液などの洗浄液を貯留した洗浄液貯留容器６１と血液浄化装置２の血液回路とを、洗浄液貯留容器６１に貯留された洗浄液を血液回路に送り込むための回路であるプライミングライン５１で接続する。本実施例では、プライミングライン５１の一端である洗浄液貯留容器接続部（第一の接続部）５２を洗浄液貯留容器６１に接続し、他端であるプライミングライン接続部（第二の接続部）５３を動脈ライン２１の途中から分岐された動脈分岐ライン２３の先端である動脈分岐ライン末端部２４に接続する。
【０１７８】
そして、前述の如く接続されたプライミング回路３において、前記洗浄液貯留容器６１を最も高い位置に配置し、前記プライミングライン５１の流路中のプライミングライン折り返し部５４を前記洗浄液貯留容器６１よりも低い位置に配置する。このプライミングライン折り返し部５４とは、図１６に示すように、洗浄液貯留容器６１から下方へ向かい、上方へ折り返して血液浄化装置２に向かうプライミングライン５１中の折り返し部のことである。このように最も低い位置にプライミングライン５１の折り返し部５４を配置することにより、血液浄化装置２における患者との接続部（各ラインの末端部）を床から遠ざけることができ、より清潔を保てる利点がある。
【０１７９】
更に、前記洗浄液貯留容器６１からの洗浄液の排出口となる前記動脈ライン２１の患者側末端部２２、前記静脈ライン３１の患者側末端部３２を、前記洗浄液貯留容器６１よりも低く、前記プライミングライン折り返し部５４よりも高い位置に配置する。なお、前記プライミングライン接続部５３の配置は、図１６（ａ）に示すように血液浄化装置２における洗浄液排出口２２，３２よりも低い位置であっても良いし、あるいは図１６（ｂ）に示すように血液浄化装置２における洗浄液排出口２２，３２よりも高い位置であっても良く、図１６に示すように前記プライミングライン折り返し部５４が前記洗浄液排出口２２，３２よりも低い位置であれば前記プライミングライン接続部５３の位置は問わない。
【０１８０】
そして、前述の如く配置したプライミング回路３において、前記洗浄液貯留容器６１と前記動脈ライン患者側末端部２２、前記静脈ライン患者側末端部３２との高低差（高さの違いによって生じる落差圧）を利用して、洗浄液貯留容器６１から洗浄液を送液しながら吸着型血液浄化器１３を洗浄する。すなわち前記洗浄液貯留容器６１からの洗浄液を、前記プライミングライン５１を通して、前記動脈分岐ライン２３から前記動脈ライン２１、前記吸着型血液浄化器１３へ流通させる。更に前記吸着型血液浄化器１３から前記静脈ライン３１へ流通させる。このようにして前記血液浄化装置２を洗浄液で洗浄し、前記洗浄液の排出口となる前記動脈ライン患者側末端部２２と前記静脈ライン患者側末端部３２から前記洗浄液を排液する。
【０１８１】
なお、前述の如く洗浄された液は各ライン２１，３１の排液口２２，３２から排液されるが、厚さ０．５ｍｍ程度の塩化ビニル等の樹脂製シートを２枚重ねて、長方形状に溶着した貯留容器（図示せず）に各排液口を接続した形態でも同様である。
【０１８２】
上述したように、洗浄液貯留容器６１と血液浄化装置２とをプライミングライン５１で接続し、該プライミング回路３において、洗浄液貯留容器６１を最も高い位置に配置、プライミングライン折り返し部５４を前記洗浄液貯留容器６１よりも低い位置に配置、血液浄化装置２における洗浄液排液口（動脈ライン患者側末端部２２と静脈ライン患者側末端部３２）を前記洗浄液貯留容器６１よりも低く前記プライミングライン折り返し部５４よりも高い位置に配置するだけで、プライミング工程において、洗浄液貯留容器６１内の洗浄液がなくなった場合でも、洗浄液貯留容器６１内に入っていた気体が回路内の圧力バランスによってプライミングライン５１内で止まり、洗浄が完了して治療に必要な血液回路（動脈分岐ライン２３、動脈ライン２１、静脈ライン３１）と吸着型血液浄化器１３に入り込むことが防止され、前記血液浄化装置２が洗浄液でプライミングされる。
【０１８３】
なお、洗浄貯留容器６１内に入っていた気体が回路内の圧力バランスにより停止する原理は、次の現象を利用したものである。すなわち、開口部の高さが異なるＵ字型管内に液体を満たした状態で密閉し、その後、該Ｕ字型管の両開口部を大気開放すると、Ｕ字型管の低い側の開口部から液体が排出され、Ｕ字型管の高い側の開口部側管内の液面の高さが低い側の開口部端面の高さと一致したとき、液体の移動が停止する現象を利用したものである。
【０１８４】
このように、本実施形態に係る血液浄化装置のプライミング方法によれば、装置を大型化、高価格化することなく、簡単な構成で、血液浄化装置のプライミングが容易に且つ確実に実現できる。
【０１８５】
〔他の実施形態〕
なお、血液浄化装置の構成は、前述した実施形態の構成に限定されるものではなく、患者の血液を採取し浄化処理した後に患者に戻す血液浄化装置であれば他の構成であっても良い。
【産業上の利用可能性】
【０１８６】
本発明の血液浄化装置のプライミング方法は、血液濾過療法を中心に血液透析療法、血液濾過透析療法あるいは血球成分除去療法を実施する際に行う容易にかつ確実なプライミング方法として有用である。
【図面の簡単な説明】
【０１８７】
【図１】本発明の第１実施形態（実施例１−１）に係る血液浄化装置を洗浄する時の概略構成図である。
【図２】本発明の第１実施形態（実施例１−２）に係る血液浄化装置を洗浄する時の概略構成図である。
【図３】本発明の第１実施形態（実施例１−３）に係る血液浄化装置を洗浄する時の概略構成図である。
【図４】本発明の第１実施形態（実施例１−４）に係る血液浄化装置を洗浄する時の概略構成図である。
【図５】本発明の第１実施形態（実施例１−５）に係る血液浄化装置を洗浄する時の概略構成図である。
【図６】本発明の第１実施形態（実施例１−６）に係る血液浄化装置を洗浄する時の概略構成図である。
【図７】本発明の第１実施形態（実施例１−７）に係る血液浄化装置を洗浄する時の概略構成図である。
【図８】本発明の第１実施形態（実施例１−８）に係る血液浄化装置を洗浄する時の概略構成図である。
【図９】本発明の第２実施形態（実施例２−１）に係る血液浄化装置を洗浄する時の概略構成図である。
【図１０】本発明の第２実施形態（実施例２−２）に係る血液浄化装置を洗浄する時の概略構成図である。
【図１１】本発明の第２実施形態（実施例２−３）に係る血液浄化装置を洗浄する時の概略構成図である。
【図１２】本発明の第２実施形態（実施例２−４）に係る血液浄化装置を洗浄する時の概略構成図である。
【図１３】本発明の第２実施形態（実施例２−５）に係る血液浄化装置を洗浄する時の概略構成図である。
【図１４】本発明の第２実施形態（実施例２−６）に係る血液浄化装置を洗浄する時の概略構成図である。
【図１５】本発明の第２実施形態（実施例２−７）に係る血液浄化装置を洗浄する時の概略構成図である。
【図１６】本発明の第２実施形態（実施例２−８）に係る血液浄化装置を洗浄する時の概略構成図である。
【図１７】血液浄化装置を治療に使用する際の一実施形態の概略構成図である。
【図１８】血液浄化装置を治療に使用する際の一実施形態の概略構成図である。
【符号の説明】
【０１８８】
１    …血液ポンプ
２    …血液浄化装置
３    …プライミング回路
１１  …血液濾過器
１２  …濾過膜
１３  …吸着型血液浄化器
２１  …動脈ライン
２２  …動脈ライン患者側末端部
２３  …動脈分岐ライン
２４  …動脈分岐ライン末端部
２５  …動脈ライン折り返し部
２６  …動脈分岐ライン折り返し部
３１  …静脈ライン
３２  …静脈ライン患者側末端部
３３  …静脈分岐ライン
３４  …静脈分岐ライン末端部
３５  …静脈ライン折り返し部
３６  …静脈分岐ライン折り返し部
４１  …濾過ライン
４２  …濾過ライン排出口
４３  …点滴筒
５１  …プライミングライン
５２  …洗浄液貯留容器接続部
５３  …プライミングライン接続部
５４  …プライミングライン折り返し部
６１  …洗浄液貯留容器
６２  …貯留容器
【図１】
2005193011.tif 000003
【図２】
2005193011.tif 000004
【図３】
2005193011.tif 000005
【図４】
2005193011.tif 000006
【図５】
2005193011.tif 000007
【図６】
2005193011.tif 000008
【図７】
2005193011.tif 000009
【図８】
2005193011.tif 000010
【図９】
2005193011.tif 000011
【図１０】
2005193011.tif 000012
【図１１】
2005193011.tif 000013
【図１２】
2005193011.tif 000014
【図１３】
2005193011.tif 000015
【図１４】
2005193011.tif 000016
【図１５】
2005193011.tif 000017
【図１６】
2005193011.tif 000018
【図１７】
2005193011.tif 000019
【図１８】
2005193011.tif 000020